(57)【要約】      （修正有）【課題】いずれのロッカーボックスの操作部かの判別がしやすいロッカーボックス及びロッカーシステムを提供する。【解決手段】ロッカーボックスは、物を収納するスペースとスペースの開口部分とが形成された収納部１３と、開口部分に開閉可能に設けられ開口部分に形成された框を覆う扉３と、扉の外表面に設けられた、扉３を施錠する操作が入力される操作部と、框７に設けられた固定部材と、扉が閉じられた状態にて操作部に対する操作に基づいて固定部材との相対位置が変位する変位部材とからなり、相対位置の変化を検知する検知機構５３と、検知の結果に応じて、扉３を施錠する施錠部と、を備える。【選択図】図３
2019125049.tif 000002
【特許請求の範囲】
【請求項１】
物を収納するスペースと該スペースの開口部分とが形成された収納部と、
前記開口部分に開閉可能に設けられ、該開口部分に形成された框を覆う扉と、
前記扉の外表面に設けられた、前記扉を施錠する操作が入力される操作部と、
前記框に設けられた固定部材と、前記扉が閉じられた状態にて前記操作部に対する操作に基づいて前記固定部材との相対位置が変位する変位部材とからなり、該相対位置の変化を検知する検知機構と、
前記検知の結果に応じて、前記扉を施錠する施錠部と、
を備えることを特徴とするロッカーボックス。
【請求項２】
前記検知機構は、前記変位部材及び前記固定部材をそれぞれ、検知部及び被検知部、または被検知部及び検知部とする非接触式センサシステムである
ことを特徴とする請求項１に記載のロッカーボックス。
【請求項３】
前記被検知部は、磁石を含み、
前記検知部は、磁気センサである
ことを特徴とする請求項２に記載のロッカーボックス。
【請求項４】
前記変位部材は、前記扉が閉じられた状態にて前記操作部に対する操作に基づいて前記框との相対位置が変位する被検知部であり、
前記固定部材は、前記被検知部の相対位置の変化を検知する検知部である
ことを特徴とする請求項１〜３のうちいずれか１項に記載のロッカーボックス。
【発明の詳細な説明】
【技術分野】
【０００１】
本発明は、例えば駅構内に設置されたロッカーシステムを構成するロッカーボックスに関する。
【背景技術】
【０００２】
従来、駅構内等に配置される貸しロッカーとして、ＩＣカード等の電子マネーで利用できるものが広く知られている（例えば、特許文献１）。このＩＣカードを利用した電子マネー対応の集中制御ロッカーシステムでは、ロッカーボックスの框部に、操作レバー等の操作部が設けられている。
【０００３】
荷物の預け入れ時には扉を閉めて、操作レバー等を操作することにより、ロッカーボックスの框部の電気錠によりロッカーが仮施錠され、料金の支払いが終わると、ロッカーボックスが本施錠されるようになっている。
【０００４】
このように、この種のロッカーシステムでは、操作レバーの操作を仮施錠のためのトリガとしている。一方、荷物の取り出し時には、カードリーダ／ライタのカード操作部にＩＣカードをタッチして、ＩＣカードの認証が行われると電気錠が解錠状態となり、自動的に操作レバーが戻ってロッカーボックスが解錠するようになっている。
【先行技術文献】
【特許文献】
【０００５】
【特許文献１】特開２００７−１１３２８３号公報
【発明の概要】
【発明が解決しようとする課題】
【０００６】
従来のコインロッカー装置では、扉の回転端近傍に正対する框部分に、扉を仮施錠するための操作部が設けられている。
【０００７】
しかしながら、この構成では、ロッカーボックス２が複数配置されている場合、框に設けられた操作部が左右のロッカーボックス２のうちどちらのロッカーボックス２を操作するための操作部であるのが容易に判別できない。
【０００８】
本発明では、一態様として、いずれのロッカーボックスの操作部かの判別がしやすいロッカーボックス及びロッカーシステムを提供する。
【課題を解決するための手段】
【０００９】
本発明の一実施形態にかかるロッカーボックスは、物を収納するスペースと該スペースの開口部分とが形成された収納部と、前記開口部分に開閉可能に設けられ、該開口部分に形成された框を覆う扉と、前記扉の外表面に設けられた、前記扉を施錠する操作が入力される操作部と、前記框に設けられた固定部材と、前記扉が閉じられた状態にて前記操作部に対する操作に基づいて前記固定部材との相対位置が変位する変位部材とからなり、該相対位置の変化を検知する検知機構と、前記検知の結果に応じて、前記扉を施錠する施錠部と、を備えることを特徴とする。
【００１０】
上記ロッカーボックスにおいて、前記検知機構は、前記変位部材及び前記固定部材をそれぞれ、検知部及び被検知部、または被検知部及び検知部とする非接触式センサシステムであることを特徴とする。
【００１１】
上記ロッカーボックスにおいて、前記被検知部は、磁石を含み、前記検知部は、磁気センサであることを特徴とする。
【００１２】
上記ロッカーボックスにおいて、前記変位部材は、前記扉が閉じられた状態にて前記操作部に対する操作に基づいて前記框との相対位置が変位する被検知部であり、前記固定部材は、前記被検知部の相対位置の変化を検知する検知部であることを特徴とする。
【発明の効果】
【００１３】
本明細書に記載の技術によれば、いずれのロッカーボックスの操作部かの判別がしやすいロッカーボックス及びロッカーシステムを提供することができる。
【図面の簡単な説明】
【００１４】
【図１】本実施形態におけるロッカーシステムの外観正面図である。
【図２】本実施形態におけるロッカーシステムのハードウェア構成を示す図である。
【図３】本実施形態におけるロッカーボックスの一例を示す図である。
【図４】図１の破線枠５で示される部分の拡大図である。
【図５】本実施形態における扉の裏面を示す図である。
【図６】本実施形態における押ボタンＳＷの構成例を示す図である。
【図７】本実施形態における仮施錠を行う場合に上方から観たロッカーボックスの断面図である。
【発明を実施するための形態】
【００１５】
本実施形態に係る、ロッカーボックスは、物を収納するスペースと該スペースの開口部分とが形成された収納部と、開口部分に開閉可能に設けられ、開口部分に形成された框を覆う扉と、扉の外表面に設けられた、扉を施錠する操作が入力される操作部と、框に設けられた固定部材と、扉が閉じられた状態にて操作部に対する操作に基づいて固定部材との相対位置が変位する変位部材とからなり、相対位置の変化を検知する検知機構と、検知の結果に応じて、扉を施錠する施錠部とを備える。ロッカーボックスの一例としては、後述するロッカーボックス２が挙げられる。収納部の一例としては、後述する収納部１３が挙げられる。扉の一例としては、後述する扉３が挙げられる。操作部の一例としては、後述する操作部６０が挙げられる。検知機構の一例としては、後述する被検知部６７とホールセンサ５３からなる検知機構が挙げられる。施錠部の一例としては、後述する電気錠３３が挙げられる。
【００１６】
このように構成することにより、いずれのロッカーボックスの操作部かの判別がしやすくなる。
【００１７】
検知機構は、変位部材及び固定部材をそれぞれ、検知部及び被検知部、または被検知部及び検知部とする非接触式センサシステムである。例えば、被検知部は、磁石を含むものであり、検知部は、磁気センサであってもよい。
【００１８】
変位部材は、扉が閉じられた状態にて操作部に対する操作に基づいて框との相対位置が変位する被検知部であってもよく、固定部材は、被検知部の相対位置の変化を検知する検知部であってもよい。また、固定部材は、框に設けられた被検知部であってもよく、変位部材は、扉が閉じられた状態にて操作部に対する操作に基づいて被検知部との相対位置の変位の変化を検知する検知部であってもよい。
【００１９】
以下に、本実施形態の詳細について説明する。
【００２０】
図１は、本実施形態におけるロッカーシステムの外観正面図である。ロッカーシステム１は、ＩＣカードによりロッカーを利用できる電子マネー対応機である。ロッカーシステム１は、コンピュータ等からなる制御部（後述する）を内蔵した集中制御装置２０を有しており、その両側及び下側にそれぞれ複数のロッカーボックス２が配置されている。以下では、ロッカーボックス２の総称をロッカー部６という。
【００２１】
集中制御装置２０には、操作表示部２１、レシート発行部２２ａ，２２ｂ、バーコードリーダ２３、ＩＣカードリーダ／ライタ２４、紙幣投入部２５、硬貨投入部２６、返金操作部２７、返金口２８、スピーカ２９が設けられている。
【００２２】
操作表示部２１は、例えば利用者に情報を表示する液晶ディスプレイ（liquid crystal display（ＬＣＤ））とタッチパネルからなる。レシート発行部２２ａ，２２ｂは、清算内容や使用したロッカーボックス２を特定する情報が記されたレシートを発行する。
【００２３】
バーコードリーダ２３は、一次元または二次元バーコードを読み取る。ＩＣカードリーダ／ライタ２４は、ＲＦＩＤ（Radio Frequency Identification）技術により、非接触でＩＣカードに対してデータの読み書きを行う。
【００２４】
紙幣投入部２５は、紙幣を投入する投入口である。硬貨投入部２６は、貨幣を投入する投入口である。返金操作部２７は、返金をする場合に操作されるコック状の部材である。返金口２８には、返金された貨幣が返金される。スピーカ２９は、音（音声を含む。）を出力する。
【００２５】
ロッカー部６は、１個または複数個のロッカーボックス２で構成されている。ロッカーボックス２は、扉３が紙面の手前側に開閉可能に設けられている。扉３には、取っ手４と操作部（後述する）が設けられている。
【００２６】
符号２ａで示される破線枠で囲ったものは、ロッカーボックス２の扉３が開いた状態を示す。ロッカーボックス２の内部は、底面１１、天井面１０、側面８，９、及び背面１２で構成され、物を収納するスペース（収納部１３）として機能する。框７には後述するセンサ及びＬＥＤ（light emitting diode）が設けられている。
【００２７】
図２は、本実施形態におけるロッカーシステムのハードウェア構成を示す図である。図２において、ロッカーシステム１は、集中制御装置２０とロッカー部６を含む。集中制御装置２０は、制御部４１、操作表示部２１、バーコードリーダ２３、ＩＣカードリーダ／ライタ２４、プリンタ４４、紙幣処理部４５、硬貨処理部４６、スピーカ２９を含む。
【００２８】
制御部４１は、操作表示部２１、バーコードリーダ２３、ＩＣカードリーダ／ライタ２４、プリンタ４４、紙幣処理部４５、硬貨処理部４６、スピーカ２９、及びロッカー部６の各構成要素と通信可能に接続され、ロッカーシステム１全体を制御する中央演算装置（ＣＰＵ）等のプロセッサである。
【００２９】
制御部４１は、記憶部４２、認証部４３含む。記憶部４２は、ロッカーボックスへの預け入れの際の決済後に利用者に対して発行される、ロッカーボックスを識別するボックス番号と、暗証番号とを組み合わせた情報（利用者識別情報）を記憶する。
【００３０】
認証部４３は、利用者の認証処理を行う。ここでは、ロッカーボックス２からの預け入れた物の取り出しの際、制御部４１は、バーコードリーダ２３で読み取った一次元または二次元バーコードまたはＩＣカードリーダ／ライタ２４で読み取ったＩＣカードの所定の情報と、記憶部４２に記憶された利用者識別情報とを照合して、認証処理を行う。
【００３１】
操作表示部２１、バーコードリーダ２３、ＩＣカードリーダ／ライタ２４、スピーカ２９は、図１で説明した通りなので、ここではその説明を省略する。
【００３２】
プリンタ４４は、レシート発行部２２ａ，２２ｂに設けられた、レシートに印字するための出力装置である。ロッカーボックス２へ預け入れて決済が完了すると、利用者識別情報に対応する一次元または二次元バーコードをレシートに印刷して発行する。
【００３３】
紙幣処理部４５は、紙幣投入部２５から投入された紙幣を処理し、必要に応じて返金口２８より返金を行う。硬貨処理部４５は、硬貨投入部２６から投入された紙幣を処理し、必要に応じて返金口２８より返金を行う。
【００３４】
ロッカー部６のそれぞれには、ブザー３１が設けられ、各ロッカーボックス２には、ロック部３２が設けられている。ロック部３２は、扉３を施錠及び解錠する機構であり、本実施形態では後述するように、扉３及び框７に設けられている。ブザー３１は、そのロッカー部６に属するロッカーボックス２が所定の状態において所定の操作が行われた場合に制御部４１からの指示に基づいて警告音等がなる。なお、本実施形態では、一例として、ロッカー部６単位でブザー３１を設けたが、これに限定されず、ロッカーボックス単位でブザー３１を設けてもよい。
【００３５】
ロック部３２は、電気錠３３、扉開閉スイッチ（以下、スイッチを「ＳＷ」と称する）３４、押ボタンＳＷ３５、ホールセンサ５３、ＬＥＤ１（３６）、ＬＥＤ２（３７）、ＬＥＤ３（３８）、ＬＥＤ４（３９）を含む。
【００３６】
扉開閉ＳＷ３４は、扉３の開閉状態を判定するスイッチであり、例えば、電気錠３３に設けられたマイクロスイッチである。扉開閉ＳＷ３４がＯＮ／ＯＦＦされると、そのＯＮ／ＯＦＦされたことを示す情報が制御部４１へ送信される。
【００３７】
押ボタンＳＷ３５は、扉３を閉じた状態で仮施錠する場合に押下するボタン型スイッチであり、押下されると、押下されたことを制御部４１に通知する信号が送信される。押ボタンＳＷ３５は、後述する非接触型の磁気センサによって構成される。
【００３８】
電気錠３３は、扉３の開閉を規制する機構であって、扉開閉ＳＷ３４及び押ボタンＳＷ３５の状態に基づいて、または集中制御装置２０からの指示に応じて、扉３の施錠または解錠を行う。
【００３９】
ＬＥＤ１（３６）、ＬＥＤ２（３７）、ＬＥＤ３（３８）、ＬＥＤ４（３９）は、框７に設けられている。ＬＥＤ１（３６），ＬＥＤ２（３７），ＬＥＤ３（３８），ＬＥＤ４（３９）はそれぞれ、扉３が開いているときは消灯しているが、扉３が閉じると、条件に応じて点灯する。これにより、扉３の操作部（図３にて説明する）に設けられた、光を透過するカバー部材を介してそれぞれ表示１、表示２、表示３、表示４として点灯する。
【００４０】
次に、ロッカーボックス２について説明する。
【００４１】
図３は、本実施形態におけるロッカーボックスの一例を示す図である。図４は、図１の破線枠５で示される部分の拡大図であって、本実施形態における操作部の一例を示す図である。図５は、本実施形態における扉３の裏面を示す図である。
【００４２】
扉３の左端側は、収納部１３の開口部分を形成する側面９にヒンジを介して開閉可能に固定され、扉３の右端は、框７を覆うように構成されている。框７には、クッション部材５１a，５１ｂ、ＬＥＤ１（３６），ＬＥＤ２（３７），ＬＥＤ３（３８），ＬＥＤ４（３９）、ホールセンサ５３、フック受入部５２が設けられている。
【００４３】
クッション部材５１a，５１ｂは、扉３を閉めた場合に扉３が框７へ衝突するのを防止するクッション材である。ＬＥＤ１（３６），ＬＥＤ２（３７），ＬＥＤ３（３８），ＬＥＤ４（３９）は、扉３を閉じると点灯することにより、扉３の操作部（図４にて説明する）に設けられた、光を透過するカバー部材を介して表示１（６１）、表示２（６２）、表示３（６３）、表示４（６４）として点灯する。
【００４４】
フック受入部５２は、扉３の裏面に設けられたフック６６が挿入されて、電気錠３３により施錠がなされる。
【００４５】
ホールセンサ５３は、ホール効果を利用して磁石が発する磁界や電流が発する磁界を電気信号に変換して出力する非接触型の磁気センサであり、扉３に設けられた押ボタンＳＷ５に連動して動作する磁石の相対位置の変位を検知する。
【００４６】
図４に示すように、扉３には操作部６０が設けられている。操作部６０は、表示１（６１）、案内ラベル６５、表示２（６２）、表示３（６３）、表示４（６４）を含む。
【００４７】
ここで、表示１（６１）、表示２（６２）、表示３（６３）、表示４（６４）は、それぞれ扉３の該当する部分を貫通させ、貫通させた孔の開口部分それぞれを、ＬＥＤ１（３６），ＬＥＤ２（３７），ＬＥＤ３（３８），ＬＥＤ４（３９）から発せられた光を透過する部材で覆うことで構成されている。
【００４８】
表示１（「空き」６１）は、点灯している場合は、ロッカーボックス２が使用されていない場合、すなわちそのロッカーボックス２が使用可能な状態であることを示し、消灯している場合は、ロッカーが他人に占有されて使用することができないことを示す。
【００４９】
表示２（「施錠する」６２）は、点灯している場合は、そのロッカーボックス２が本施錠されて、そのロッカーボックス２が荷物を預けたユーザによって占有されていることを示し、消灯している場合は、そのロッカーが解錠されている状態であることを示す。
【００５０】
表示３（「支払う」６３）は、点滅中は、そのロッカーボックス２の仮施錠後決済が未だ完了していないことを示す（すなわち支払いを促している）。表示３が点滅表示することで、集中操作装置２０での入金操作が終わっていないまたは本施錠が済んでいないことが報知されるので、操作なれしていない利用者は、仮施錠を本施錠と勘違いして立ち去ってしまうリスクが軽減される。
【００５１】
表示４（「お待ちください」６４）は、点滅中は、操作表示部２１を他人が操作しているので、ユーザによる操作表示部２１の支払い操作については待つようにすることを報知する。すなわち、表示４が点滅表示することによって、他人が操作表示部２１を操作中であるから、操作表示部２１の操作ができない旨を報知することができる。また、このときは、ロッカーボックス２側での操作部６０での操作を行うことができないので、仮施錠することができない。
【００５２】
なお、表示２（６２）は、押下可能になっており、その背面には押ボタンＳＷ３５が設けられている。したがって、表示２（６２）は押ボタンＳＷ３５としても機能する。図５（ａ）は、表示２の押下前における扉３の裏面図である。図５（ｂ）は、表示２の押下後における扉３の裏面図である。表示２を押下すると、扉３から磁石を包含する突起物（被検知部６７）が突き出す。
【００５３】
図６は、本実施形態における押ボタンＳＷ３５の構成例を示す図である。図６（ａ１）は、押し込み部の押し込み前における押ボタンＳＷ３５の外観図であり、図６（ａ２）は、その場合の断面図である。図６（ｂ１）は、押し込み部の押し込み後における押ボタンＳＷ３５の外観図であり、図６（ｂ２）は、その場合の断面図である。
【００５４】
押ボタンＳＷ３５は、押し込み部７１、カバー７２、底板７３、キャップ７４、ゴム７５、ネオジム磁石７６、コイルバネ７７、ネジ７８で構成されている。押ボタンＳＷ３５は、外観的には、底板７３上にコイルバネ７７を配置し、コイルバネ７７上に押し込み部７１を配置して、カバー７２を被せ、ネジ７８で留めたものである。
【００５５】
押し込み部７１は、高さに比べて上面の直径が長い円筒形の側面の一部に円筒形状の被検知部６７を設けたものである。被検知部６７には、ネオジム磁石７６が埋め込まれている。ネオジム磁石７６の上にゴム７５が配置されその上からキャップ７４で塞がれている。
【００５６】
まず、押し込み部７１は、コイルバネ７２の付勢力により通常は落ち込んでいない状態になっている（図６（ａ１）、図６（ａ２））。押し込み部７１が押下されると、押し込み部７１全体が沈降し、押し込み部７１の一部である突起物（被検知部６７）も沈降する（図６（ｂ１）、図６（ｂ２））。これにより、ホールセンサ５３に対する、ネオジム磁石７６の相対位置が変動する。
【００５７】
図７は、本実施形態における仮施錠を行う場合に上方から観たロッカーボックス２の断面図である。図７（ａ）は、扉３が開いている場合に上方から観たロッカーボックス２の断面図である。扉３と側面９とはヒンジ８１によって支持されている。また、框７には、電気錠３３と、ホールセンサ５３とが内蔵させている。
【００５８】
電気錠３３には、フック６６がフック受入部５２より挿入されて、所定の部材に当接すると、扉開閉ＳＷ３４としてのマイクロスイッチがＯＮになり、扉３が閉められたことが検知される。また、解錠された場合には、フック６６による当接がなくなり、扉開閉ＳＷ３４としてのマイクロスイッチがＯＦＦになり、制御部４１によって扉３が開いていることが検知される。
【００５９】
図７（ｂ）は、扉３が閉められて押ボタンＳＷ３５が押下されるまでの待機中に上方から観たロッカーボックス２の断面図である。扉３が閉められると、フック６６がフック受入部５２より挿入されて、電気錠３３内の所定の部材に当接すると、マイクロスイッチがＯＮになり、制御部４１によって扉３が閉められたことが検知され、押しボタンＳＷ３５の押下待機状態となる。
【００６０】
図７（ｃ）は、押ボタンＳＷ３５押下時の上方から観たロッカーボックス２の断面図である。押ボタンＳＷ３５が押下されると、被検知部６７が変位する。すると、ホールセンサ５３が被検知部６７の接近を検知し、電気錠３３によりフック６６が一時的に固定され、仮施錠される。
【００６１】
本実施形態によれば、ロッカーボックス２は、物を収納するスペースを保持するための、底面、対向する２つの側面、天井面及び背面からなる収納部１３と、収納部１３の開口部分を形成するいずれの面に開閉可能に設けられ、いずれの面に対向する面側の框７を覆う扉３と、扉３の外表面に設けられた、扉を仮施錠する操作が入力される操作部６０と、扉３が閉じられて操作部６０に対する操作が行われることにより、框７との相対距離が変位する被検知部６７と、框７に設けられ、被検知部６７の相対位置の変位の変化の検知を行う検知部（例えば、ホールセンサ５３）と、検知の結果に応じて、扉３を仮施錠する仮施錠部（電気錠３３）とを備える。
【００６２】
このように構成することにより、いずれのロッカーボックスの操作部かの判別が容易となる。
【００６３】
また、被検知部６７は、磁石（例えば、ネオジム磁石７６）を含み、検知部（例えば、ホールセンサ５３）は、磁石の相対位置の変位により発生する起電力を検出するホールセンサであってもよい。
【００６４】
このように構成することにより、非接触で押ボタンＳＷ３５が押下されたことを検出することができので、操作部６０及び框７の構造をシンプルにすることができる。
【００６５】
また、本実施形態では、操作部６０には、押ボタンＳＷを採用しているが、扉の面内方向に操作するスライドレバーのような構成であってもよい。
【００６６】
なお、本実施形態では、ロッカーボックス２の扉３は左開きタイプとなっていたが、右開きタイプでもよい。この場合、框７もロッカーボックス２の左側に配置されることになる。また、扉３を天井面１０にヒンジで接続して、下開きタイプとしてもよい。この場合、框７もロッカーボックス２の底面１１側に配置されることになる。また、扉３を底面１１にヒンジで接続して、上開きタイプとしてもよい。この場合、框７もロッカーボックス２の天井面１０側に配置されることになる。
【００６７】
また、本実施形態では、検知機構である非接触式センサシステムの一例として、框７側に検知部としての磁気センサ、扉３側に磁石を包含する被検知部を設けたが、これに限定されず、框７側に被検知部、扉３側に検知部を設けてもよい。この場合、磁気センサにかわり静電容量センサを採用すれば、検知部は薄板状の電極であればよいため、ロッカーボックスのような薄肉状の扉であっても容易に設けることができる。
【００６８】
本実施形態に係るロッカーボックス及びロッカーシステムによれば、いずれのロッカーボックスの操作部かの判別がしやすくなる。
【００６９】
なお、本発明は、以上に述べた実施の形態に限定されるものではなく、本発明の要旨を逸脱しない範囲内で種々の構成または実施形態を取ることができる。
【符号の説明】
【００７０】
１      ロッカーシステム
２      ロッカーボックス
３      扉
４      取っ手
６      ロッカー部
７      框
８，９  側面
１０    天井面
１１    底面
１２    背面
１３    収納部
２０    集中制御装置
２１    操作表示部
２２ａ，２２ｂ  レシート発行部
２３    バーコードリーダ
２４    ＩＣカードリーダ／ライタ
２５    紙幣投入部
２６    硬貨投入部
２７    返金操作部
２８    返金口
２９    スピーカ
３１    ブザー
３２    ロック部
３３    電気錠
３４    扉開閉ＳＷ
３５    押ボタンＳＷ
３６    ＬＥＤ１
３７    ＬＥＤ２
３８    ＬＥＤ３
３９    ＬＥＤ４
４１    制御部
４２    記憶部
４３    認証部
４４    プリンタ
４５    紙幣処理部
４６    硬貨処理部
５１a，５１ｂ  クッション部材
５２    フック受入部
５３    ホールセンサ
６０    操作部
６１    表示１
６２    表示２
６３    表示３
６４    表示４
６６    フック
６７    被検知部
７１    押し込み部
７２    カバー
７３    底板
７４    キャップ
７５    ゴム
７６    ネオジム磁石
７７    コイルバネ
７８    ネジ
８１    ヒンジ
【図１】
2019125049.tif 000003
【図２】
2019125049.tif 000004
【図３】
2019125049.tif 000005
【図４】
2019125049.tif 000006
【図５】
2019125049.tif 000007
【図６】
2019125049.tif 000008
【図７】
2019125049.tif 000009